(57)【要約】【課題】鉄筋篭の補強筋等の結束具を提供する。【解決手段】この発明の結束具１では、湾曲部１ａおよび係止溝４ａを一体的に形成した固定部材４を設けて一方の補強筋２の他方側で係止する両先端部１ｃと、補強筋２に当接する中央部分１ｂとにより、互いに当接し直交して交差する補強筋２，３を確実に結束する。また、両先端部１ｃにおける略Ｕ字状の開口側と湾曲部１ａとを利用することで、他方の主筋３に一端係止させることができて補強筋の交差部分への取付けを容易に行え、補強筋２，３の結束作業を効率良く行えるようになる。【選択図】　　　図１
2004036226.tif 000002
【特許請求の範囲】
【請求項１】
互いに当接し直交して交差する補強筋の結束具であり、
前記一方の鉄筋の一方側でその一方の鉄筋への当接側とは反対側において前記他方の鉄筋に係止する湾曲部と、この湾曲部から連続し他方の鉄筋への当接側とは反対側において一方の鉄筋に当接する中央部分と、この中央部分から連続し一方の鉄筋の他方側で他方の鉄筋における一方の鉄筋への当接側とは反対側に突出する両先端部とから略Ｕ字状に形成しており、　前記略Ｕ字状の開口側である両先端部は、その両先端部の間に架け渡して設け、一端に係止溝を一体に形成した板状の固定部材によって、前記一方の鉄筋の他方側でその一方の鉄筋への当接側と反対側において前記他方の鉄筋に係止できるように構成していることを特徴とする補強筋用結束具。
【請求項２】
前記固定部材は、板体で構成していると共に、背面にフックを突設してあることを特徴とする請求項１記載の補強筋用結束具。
【発明の詳細な説明】
【０００１】
【発明の属する技術分野】
この発明は、鉄筋籠における主筋とフープ筋など、互いに当接し直交して交差する補強筋を結束する時に用いる補強筋用結束具に関するものである。
【０００２】
【従来の技術】
従来、互いに当接し直交して交差する補強筋の結束は、金属製の結束線や番線を用いて行うのが一般的である。
【０００３】
【発明が解決しようとする課題】
従来の結束線や番線を用いた結束では、その結束の作業効率が悪いと共に、両鉄筋を確実に結束することが難しい等の問題点を有する。そのため、この従来の結束では、配筋精度の信頼性に欠けるものとなってしまう。
【０００４】
この発明は前述した事情に鑑みて創案されたもので、その目的は、効率良く確実に結束できる補強筋用結束具を提供することにある。
【０００５】
【課題を解決するための手段】
この発明の補強筋用結束具は、鉄筋に係止する湾曲部と、この湾曲部から連続し他方の鉄筋への当接側とは反対側において一方の鉄筋に当接する中央部分と、この中央部分から連続し一方の鉄筋の他方側で他方の鉄筋における一方の鉄筋への当接側とは反対側に突出する両先端部とから略Ｕ字状に形成している。
【０００６】
そして、前記略Ｕ字状の開口側である両先端部は、その両先端部の間に架け渡して設けた固定部材によって、一方の鉄筋の他方側でその一方の鉄筋への当接側と反対側において他方の鉄筋に係止できるように構成している。
【０００７】
このようなこの発明の鉄筋用結束具によれば、交差する両鉄筋における他方の鉄筋に、一方の鉄筋の一方側で係止する湾曲部および固定部材を設けて一方の鉄筋の他方側で係止する両先端部と、交差する両鉄筋における一方の鉄筋に当接する中央部分とにより、互いに当接し直交して交差する両鉄筋を確実に結束できるようにしている。
【０００８】
また、両先端部における略Ｕ字状の開口側と湾曲部とを利用することによって、他方の鉄筋に一端係止させることができて両鉄筋の交差部分への取付けを容易に行えることから、両鉄筋の結束作業を効率良く行えるようにしている。
【０００９】
【発明の実施の形態】
以下、この発明の鉄筋用結束具を図示する一実施形態によって説明する。
【００１０】
互いに当接し直交して交差する補強筋２，主筋３の鉄筋用結束具１は、一方の鉄筋２の一方側でその一方の鉄筋２への当接側とは反対側において他方の主鉄筋３に係止する湾曲部１ａと、この湾曲部１ａから連続し他方の主鉄筋３への当接側とは反対側において一方の補強筋２に当接する中央部分１ｂと、この中央部分１ｂから連続し一方の補強筋２の他方側で他方の主筋３における一方の補強筋２への当接側とは反対側に突出する両先端部１ｃとから略Ｕ字状に形成している。
【００１１】
そして、略Ｕ字状の開口側である両先端部１ｃは、その両先端部１ｃの間に架け渡して設けた固定部材４によって、一方の補強筋２の他方側でその一方の補強筋２への当接側と反対側において他方の主筋３に係止できるように構成している。
【００１２】
この実施形態の固定部材４は、板体で構成しており、一端が補強筋２に係止する係止溝４ａが一体に形成してあり、両先端部１ｃが貫通することで、両先端部１ｃの間に架け渡して設けている。また、この実施形態の両先端部１ｃには、ネジ部１ｄを形成している。また固定部材４の背面にはフック５が取付けてある。このフック５は異径棒鋼等からなる第２補強筋と組立てることができる。
【００１３】
このような構成からなる鉄筋用結束具１を用いて、互いに当接し直交して交差する両鉄筋２，３を結束するには、次に述べるようにして行われる。
【００１４】
先ず、図２に示すように、両先端部１ｃの間である略Ｕ字状の開口側を利用し、両先端部１ｃの間に他方の主筋３を入れ込むようにして、一方の鉄筋２の一方側において湾曲部１ａを他方の主筋３に係止させる。
【００１５】
このようにこの発明の鉄筋用結束具１は、他方の主筋３に一端係止させて、交差部分への取付けを容易に行うことができる。
【００１６】
次に、両先端部１ｃが貫通するようにして、固定部材４を両先端部１ｃの間に架け渡して設ける（図２参照）。
【００１７】
次に、両先端部１ｃに形成したネジ部１ｄにナット５を螺合させて、固定部材４を他方の主筋３に押圧することにより、湾曲部１ａと両先端部１ｃおよび固定部材４との、他方の鉄筋３への係止状態を確実に保持する。
【００１８】
そして、これらのことから、図１に示すように、一方の帯状筋２の両側において他方の主筋３に係止した湾曲部１ａおよび固定部材４と、一方の帯状筋２に当接した中央部分１ｂとにより、交差部分を挟持することで、両帯状補強筋２，主筋３を結束することになる。
【００１９】
このようなこの発明の鉄筋用結束具１によれば、交差する両鉄筋２，３における他方の鉄筋３に、一方の鉄筋２の一方側で係止する湾曲部１ａおよび固定部材４を設けて一方の鉄筋２の他方側で係止する両先端部１ｃと、交差する両鉄筋２，３における一方の鉄筋２に当接する中央部分１ｂとにより、互いに当接し直交して交差する両鉄筋２，３を確実に結束できる。
【００２０】
また、両先端部１ｃにおける略Ｕ字状の開口側と湾曲部１ａとを利用することによって、他方の鉄筋３に一端係止させることができて両鉄筋２，３の交差部分への取付けを容易に行えて、両鉄筋２，３の結束作業を効率良く行うことができる。
【００２１】
【発明の効果】
この発明の補強筋用結束具によれば、交差する鉄筋における他方の鉄筋に、一方の鉄筋の一方側で係止する湾曲部および係止溝を設けた固定部材を設けて一方の鉄筋の他方側で係止する両先端部と、交差する両鉄筋における一方の鉄筋に当接する中央部分とによって、互いに当接し直交して交差する両鉄筋を確実に結束することができる。
【００２２】
また、両先端部における略Ｕ字状の開口側と湾曲部とを利用することによって、他方の鉄筋に一端係止させることができて両鉄筋の交差部分への取付けを容易に行えるようになり、両鉄筋の結束作業を効率良く行うことができる。
固定部材に設けた係止溝によって組立て、位置決めが容易であり、また固定部材４のフックを利用して第２補強筋に取付けることができる。
【図面の簡単な説明】
【図１】この発明の補強筋用結束具を示す概略斜視図である。
【図２】この発明の補強筋用結束具の別態様を示す側面図である。
【図３】この発明の補強筋用結束具の別態様を示す平面図である。
【符号の説明】
１…鉄筋用結束具、１ａ…湾曲部、１ｂ…中央部分、１ｃ…両先端部、１ｄ…ネジ部、１ｅ…リング部、２…一方の鉄筋、３…他方の鉄筋、４…固定部材、
４ａ…係止溝、５…ナット、６…フック
【図１】
2004036226.tif 000003
【図２】
2004036226.tif 000004
【図３】
2004036226.tif 000005
【手続補正書】
【提出日】平成14年7月19日(2002.7.19)
【手続補正１】
【補正対象書類名】明細書
【補正対象項目名】全文
【補正方法】変更
【補正の内容】
【発明の詳細な説明】
【特許請求の範囲】
【請求項１】互いに当接し直交して交差する補強筋の結束具であり、
一方の鉄筋への当接側とは反対側において前記他方の鉄筋に係止する湾曲部と、この湾曲部から連続し他方の鉄筋への当接側とは反対側において一方の鉄筋に当接する中央部分と、この中央部分から連続し一方の鉄筋の他方側で他方の鉄筋における一方の鉄筋への当接側とは反対側に突出する両先端部とから略Ｕ字状に形成しており、前記略Ｕ字状の開口側である両先端部は、その両先端部の間に架け渡して設け、一端に係止溝を一体に形成した板状の固定部材によって、前記一方の鉄筋の他方側でその一方の鉄筋への当接側と反対側において前記他方の鉄筋に係止できるように構成してあることを特徴とする補強筋用結束具。
【請求項２】前記固定部材は、板体で構成していると共に、背面にフックを突設してあることを特徴とする請求項１記載の補強筋用結束具。
【発明の詳細な説明】
【０００１】
【発明の属する技術分野】
この発明は、鉄筋籠における主筋とフープ筋など、互いに当接し直交して交差する補強筋を結束する時に用いる補強筋用結束具に関するものである。
【０００２】
【従来の技術】
従来、互いに当接し直交して交差する補強筋の結束は、金属製の結束線や番線を用いて行うのが一般的である。
【０００３】
【発明が解決しようとする課題】
従来の結束線や番線を用いた結束では、その結束の作業効率が悪いと共に、両鉄筋を確実に結束することが難しい等の問題点を有する。そのため、この従来の結束では、配筋精度の信頼性に欠けるものとなってしまう。
【０００４】
この発明は前述した事情に鑑みて創案されたもので、その目的は、効率良く確実に結束できる補強筋用結束具を提供することにある。
【０００５】
【課題を解決するための手段】
この発明の補強筋用結束具は、鉄筋に係止する湾曲部と、この湾曲部から連続し他方の鉄筋への当接側とは反対側において一方の鉄筋に当接する中央部分と、この中央部分から連続し一方の鉄筋の他方側で他方の鉄筋における一方の鉄筋への当接側とは反対側に突出する両先端部とから略Ｕ字状に形成している。
【０００６】
そして、前記略Ｕ字状の開口側である両先端部は、その両先端部の間に架け渡して設けた固定部材によって、一方の鉄筋の他方側でその一方の鉄筋への当接側と反対側において他方の鉄筋に係止できるように構成している。
【０００７】
このようなこの発明の鉄筋用結束具によれば、交差する両鉄筋における他方の鉄筋に、一方の鉄筋の一方側で係止する湾曲部および固定部材を設けて一方の鉄筋の他方側で係止する両先端部と、交差する両鉄筋における一方の鉄筋に当接する中央部分とにより、互いに当接し直交して交差する両鉄筋を確実に結束できるようにしている。
【０００８】
また、両先端部における略Ｕ字状の開口側と湾曲部とを利用することによって、他方の鉄筋に一端係止させることができて両鉄筋の交差部分への取付けを容易に行えることから、両鉄筋の結束作業を効率良く行えるようにしている。
【０００９】
【発明の実施の形態】
以下、この発明の補強筋用結束具を図示する一実施形態によって説明する。
【００１０】
互いに当接し直交して交差する補強筋２，主筋３の補強筋用結束具１は、一方の補強筋２の一方側でその一方の補強筋２への当接側とは反対側において他方の主筋３に係止する湾曲部１ａと、この湾曲部１ａから連続し、他方の主筋３への当接側とは反対側において一方の補強筋２に当接する中央部分１ｂと、この中央部分１ｂから連続し補強筋２への当接側とは反対側に突出する両先端部１ｃとから略Ｕ字状に形成している。
【００１１】
そして、略Ｕ字状の開口側である両先端部１ｃは、その両先端部１ｃの間に架け渡して設けた固定部材４によって、一方の補強筋２の他方側でその一方の補強筋２への当接側と反対側において他方の主筋３に係止できるように構成している。
【００１２】
この実施形態の固定部材４は、板体で構成しており、一端が補強筋２に係止する係止溝４ａが一体に形成してあり、両先端部１ｃが貫通することで、両先端部１ｃの間に架け渡して設けている。また、この実施形態の両先端部１ｃには、ネジ部１ｄを形成している。また固定部材４の背面にはフック５が取付けてある。このフック５は異径棒鋼等からなる第２補強筋と組立てることができる。
【００１３】
このような構成からなる補強筋用結束具１を用いて、互いに当接し直交して交差する両鉄筋２，３を結束するには、次に述べるようにして行われる。
【００１４】
先ず、図２に示すように、両先端部１ｃの間である略Ｕ字状の開口側を利用し、両先端部１ｃの間に他方の主筋３を入れ込むようにして、一方の補強筋２の一方側において湾曲部１ａを他方の主筋３に係止させる。
【００１５】
このようにこの発明の補強筋用結束具１は、他方の主筋３に一端係止させて、交差部分への取付けを容易に行うことができる。
【００１６】
次に、両先端部１ｃが貫通するようにして、固定部材４を両先端部１ｃの間に架け渡して設ける（図２参照）。
【００１７】
次に、両先端部１ｃに形成したネジ部１ｄにナット５を螺合させて、固定部材４を他方の主筋３に押圧することにより、湾曲部１ａと両先端部１ｃおよび固定部材４との、他方の主筋３への係止状態を確実に保持する。
【００１８】
そして、これらのことから、図１に示すように、一方の補強筋２の両側において他方の主筋３に係止した湾曲部１ａおよび固定部材４と、一方の補強筋２に当接した中央部分１ｂとにより、交差部分を挟持することで、両補強筋２，主筋３を結束することになる。
【００１９】
このようなこの発明の鉄筋用結束具１によれば、交差する補強筋２と主筋３における他方の主筋３に、一方の補強筋２の一方側で係止する湾曲部１ａおよび固定部材４を設けて一方の補強筋２の他方側で係止する両先端部１ｃと、交差する補強筋２と主筋３における一方の補強筋２に当接する中央部分１ｂとにより、互いに当接し直交して交差する補強筋２と主筋３を確実に結束できる。
【００２０】
また、両先端部１ｃにおける略Ｕ字状の開口側と湾曲部１ａとを利用することによって、他方の主筋３に一端係止させることができて補強筋２と主筋３の交差部分への取付けを容易に行えて、その結束作業を効率良く行うことができる。
【００２１】
【発明の効果】
この発明の補強筋用結束具によれば、交差する鉄筋における他方の鉄筋に、一方の鉄筋の一方側で係止する湾曲部および係止溝を設けた固定部材を設けて一方の鉄筋の他方側で係止する両先端部と、交差する両鉄筋における一方の鉄筋に当接する中央部分とによって、互いに当接し直交して交差する両鉄筋を確実に結束することができる。
【００２２】
また、両先端部における略Ｕ字状の開口側と湾曲部とを利用することによって、他方の鉄筋に一端係止させることができて両鉄筋の交差部分への取付けを容易に行えるようになり、両鉄筋の結束作業を効率良く行うことができる。
固定部材に設けた係止溝によって組立て、位置決めが容易であり、また固定部材４のフックを利用して第２補強筋に取付けることができる。
【図面の簡単な説明】
【図１】この発明の補強筋用結束具を示す概略斜視図である。
【図２】この発明の補強筋用結束具の別態様を示す側面図である。
【図３】この発明の補強筋用結束具の別態様を示す底面図である。
【符号の説明】
１…鉄筋用結束具、１ａ…湾曲部、１ｂ…中央部分、１ｃ…両先端部、１ｄ…ネジ部、１ｅ…リング部、２…補強筋、３…主筋、４…固定部材、４ａ…係止溝、５…ナット、６…フック
【手続補正２】
【補正対象書類名】図面
【補正対象項目名】全図
【補正方法】変更
【補正の内容】
【図１】
2004036226.tif 000006
【図２】
2004036226.tif 000007
【図３】
2004036226.tif 000008